(57)【特許請求の範囲】
【請求項１】
装着者に装着された状態において筒状であり、該装着者のかかとから上の部位を覆うボディ部と、
前記装着者に装着された状態において前記かかとから下の部位を覆うフット部と、
前記ボディ部の上端から、該上端の下方にあり前記装着者に装着された状態において該装着者の足首に相当する所定の位置までの範囲を開閉可能とする開閉手段であって、前記ボディ部の上端から前記所定の位置までの範囲が開けられた状態において前記装着者の足先を前記上端よりも下方の位置から前記フット部へ挿入可能とし、前記ボディ部の上端から前記所定の位置までの範囲が閉じられた状態において前記ボディ部を筒状とする開閉手段と、
前記装着者に装着された状態で該装着者のくるぶしを露出させる開口を有する開口部であって、前記開閉手段の下端と繋げて設けられることで、前記開閉手段により前記ボディ部の上端から前記所定の位置までの範囲が開けられた場合に、前記ボディ部の上端から前記開口の下端までが分離した状態となり、前記装着者の足先を前記開口の下端から前記フット部へ挿入可能とする開口部と、を備える、
靴下。
【請求項２】
前記開口部は、前記開口の周縁を補強する補強部を備える、
請求項１に記載の靴下。
【請求項３】
前記補強部は、該補強部の周囲の厚みより厚くなるよう形成された、
請求項２に記載の靴下。
【請求項４】
前記ボディ部の上端に位置する、前記装着者が該靴下に足先を挿入する際に該靴下を持つための持ち手を更に備える、
請求項１から３の何れか一項に記載の靴下。
【発明の詳細な説明】
【技術分野】
【０００１】
本開示は、靴下に関するものである。
【背景技術】
【０００２】
従来、身生地に適合するファスナーを前部、もしくは側面部につけた、すべり止め付靴下が提案されている（特許文献１を参照）。
【０００３】
また、つま先から足首まで開閉式にし、開閉部分に面ファスナーを設け、足首の部分に面ファスナーを設けた靴下が提案されている（特許文献２を参照）。
【０００４】
また、膝上と膝下にゴム編みを儲けてずり落ちをガードして、足の外側脇部分には合わせ目を作り開閉可能にする靴下が提案されている（特許文献３を参照）。
【０００５】
更に、足挿入部となる口部、脚部、足首部、踵部、足部、爪先部が連続するように丸編により編成された靴下であって、口部から足首部に至る範囲で一側部または他側部にファスナーが設けられて開閉可能に構成され、ファスナーは閉じられた状態において靴下の上端にスライダーが位置するように構成された靴下が提案されている（特許文献４を参照）。
【先行技術文献】
【特許文献】
【０００６】
【特許文献１】特開平１１−１２４７０３号公報
【特許文献２】特開２０００−２２０００３号公報
【特許文献３】特開２００７−１１３１６８号公報
【特許文献４】実用新案登録第３１３５０９７号
【発明の概要】
【発明が解決しようとする課題】
【０００７】
従来、靴下を履く際、靴下の上端部を手で持ちながら、上端部にある履き口（開口）に足先を挿入することで、靴下を履くことが一般的である。しかし、靴下の上端部を持ちながら上端部の履き口に足先を挿入するには、靴下の上端部を持った指先が足先の位置にくるように腰をかがめて脚（膝）を屈曲させた体勢をとる必要があるため、腰痛や、膝痛、脚の外傷、障害等を有する人や高齢者等が靴下を履きにくいという問題があった。
【０００８】
上記した問題に鑑み、本開示にかかる技術は、履きやすさが向上した靴下を提供することを課題とする。
【課題を解決するための手段】
【０００９】
本開示の一つの側面は、装着者に装着された状態において筒状であり、該装着者のかかとから上の部位を覆うボディ部と、前記装着者に装着された状態において前記かかとから下の部位を覆うフット部と、前記ボディ部の上端から、該上端の下方にある所定の位置までの範囲を開閉可能とする開閉手段であって、前記ボディ部の上端から前記所定の位置までの範囲が開けられた状態において前記装着者の足先を前記上端よりも下方の位置から前記フット部へ挿入可能とし、前記ボディ部の上端から前記所定の位置までの範囲が閉じられた状態において前記ボディ部を筒状とする開閉手段と、を備える靴下である。
【００１０】
また、本開示に係る靴下は、該靴下が前記装着者に装着された状態で該装着者の脚の一部を露出させる開口を有する開口部であって、前記開閉手段の下端と繋げて設けられることで、前記開閉手段により前記ボディ部の上端から前記所定の位置までの範囲が開けられた場合に、前記ボディ部の上端から前記開口の下端までが分離した状態となり、前記装着者の足先を前記開口の下端から前記フット部へ挿入可能とする開口部を更に備えてもよい。
【００１１】
また、前記所定の位置は、前記装着者の足首に相当する位置であり、前記開口部は、該靴下が前記装着者に装着された状態で該装着者のくるぶしを露出させてもよい。
【００１２】
また、前記開口部は、前記開口の周縁を補強する補強部を備えてもよい。
【００１３】
また、前記補強部は、該補強部の周囲の厚みより厚くなるよう形成されてもよい。
【００１４】
また、前記ボディ部の上端に位置する、前記装着者が該靴下に足先を挿入する際に該靴下を持つための持ち手を更に備えてもよい。
【発明の効果】
【００１５】
本開示に係る技術によれば、履きやすさが向上した靴下を提供することが可能となる。
【図面の簡単な説明】
【００１６】
【図１】実施形態に係る靴下の一例を示す平面図である。
【図２】実施形態に係る靴下（開閉部が完全に開けられた状態）の一例を示す平面図である。
【図３】実施形態に係る靴下の一例を示す平面図である。
【発明を実施するための形態】
【００１７】
以下、本開示に係る靴下の実施の形態を、図面に基づいて説明する。但し、以下に説明する実施の形態は、実施形態を例示するものであって、本開示に係る靴下を以下に説明する具体的構成に限定するものではない。実施にあたっては、実施の態様に応じた具体的構成が適宜採用され、また、種々の改良や変形が行われてよい。
【００１８】
図１は、本実施形態に係る、靴下の一例を示す平面図である。図１に示すように、本実施形態に係る靴下１は、かかとから上の部位を覆うボディ部２、かかとから下の部位を覆うフット部３、ボディ部２の上端から、当該上端の下方にある所定の位置までの範囲を開閉可能とする開閉部４、及び開閉部４の下端の下方に位置し開閉部４の下端と繋げて設けられた開口を有する開口部５を備える。なお、ボディ部２とフット部３とは一体形成（連続的に編成）されている。
【００１９】
ボディ部２は、靴下１が装着者に装着された状態において、その全体（ボディ部２（靴下１）の上端からかかとまで）が筒状の編地である。ボディ部２の長さ（軸方向の長さ）は、図１で例示した長さに限定されず、例えば、ふくらはぎまでを覆う長さや、膝下までを覆う長さ、膝上までを覆う長さ等の任意の長さであってよい。
【００２０】
フット部３は、かかとから、足の甲、足底、及び爪先を覆う、端部（爪先部分）が袋状の編地である。なお、フット部３は、爪先を覆う袋状の形状に限定されるものではなく、例えば、装着者の爪先を覆わない形状（爪先部分が開口している形状（オープントゥ））や、爪先部分が、全ての指を一つの袋で覆わない形状（爪先部分が五本指に分かれた形状（五本指ソックス）や、爪先部分が足袋のように親指を覆う袋とその他の指を覆う袋の二つの袋を備える形状等）であってよい。
【００２１】
開閉部４は、ボディ部２の上端から、当該上端の下方にある所定の位置までの範囲を開閉可能とする開閉機構であり、本実施形態では、図１に示すように、ボディ部２の上端から装着者の足首に相当する位置までの範囲を開閉可能とする場合について例示する。なお、開閉部４は、図１に示すように、靴下１の側部（内側（親指側）又は外側（小指側））に設けられるが、側部に限定されるものではなく、靴下１の前部や後部に設けられてもよい。
【００２２】
本実施形態では、図１に示すように、開閉部４として、スライダー４１、エレメント４２、上止４３、開具（蝶棒と箱棒）４４及び箱４５を備える線ファスナー（スライドファスナー、オープンファスナー）を例示する。上止４３は、開閉部４（ボディ部２）の上端に位置し、開具４４及び箱４５は、開閉部４の下端（ボディ部２の上端の下方にある所定の位置（足首に相当する位置））に位置し、上止４３から開具４４までの範囲にエレメント４２が位置する。
【００２３】
図２は、本実施形態に係る靴下（開閉部４が完全に開けられた状態）の一例を示す平面図である。図２に示すように、スライダー４１が開閉部４の下端に位置する箱４５（箱棒４４）により止められた状態において、開閉部４が完全に開けられた状態（開閉部４の上端及び下端も分離することで、開閉可能な範囲である、ボディ部２の上端から所定の位置までの範囲が完全に分離した状態）となる。
【００２４】
開口部５は、開閉部４の下端の下方に、開閉部４の下端と隣接して位置する開口（中空）５１を有する部位（開口周辺の部位）である。開口部５の有する開口５１は、靴下１が装着者に装着された状態で、装着者の脚の一部を露出させる開口であり、本実施形態では、図１及び図２に示すように、装着者のくるぶしを露出させる開口である場合について例示する。図２に示すように、開閉部４が完全に開けられた状態において、ボディ部２（開閉部４）の上端から開口５１の下端までが分離した状態となり、装着者の足先を開口５１の下端からフット部３へ挿入可能となる。つまり、履き口が靴下の上端にのみ設けられている従来の靴下と異なり、本実施形態に係る靴下１によれば、開閉部４が完全に開けられた状態において、開口５１の下端に相当する位置に、足を出し入れするための履き口を形成することが出来る。
【００２５】
図１及び図２に示すように、スライダー４１が開閉部４の上端に位置する上止４３により止められた状態において、開閉部４が完全に閉じられた状態（開閉可能な範囲である、ボディ部２の上端から所定の位置までの範囲が閉じられた状態）となり、この閉じられた状態において、ボディ部２が筒状となる。装着者は、開口５１の下端から足先を挿入してフット部３へ足を挿入した後に、開閉部４を閉じることで、靴下１の装着を完了する。
【００２６】
また、開口部５は、開口５１の周縁を補強する補強部５２を備えてもよい。この補強部５２は、補強部５２の周囲の厚みより厚くなるよう形成されるようにしてもよい。補強部５２を周囲の厚みより厚く形成することで、開口５１から露出される装着者の脚の部位（例えば、くるぶし）を、靴の内側に当たる（擦れる）ことから防ぐことが可能となり、当該部位を保護することが可能となる。
【００２７】
なお、補強部５１を形成する方法は、任意の方法が用いられてよく、例えば、開口５１の周囲の編地を折り返して縫い付けることで形成する方法や、開口５１の周囲にステッチ（厚めのステッチ）を施すことで形成する方法、開口５１の周囲にゴム等を通すことで形成する方法、開口５１の周囲に緩衝材等を貼り付ける（縫い付ける）ことで形成する方法等が用いられてよい。なお、開口５１は、図１に示すような円形状に限定されず、装着者の脚の一部を露出させる開口であれば、楕円形状や正方形状等、任意の形状であってよい。
【００２８】
上述した実施形態によれば、装着者は、靴下１を履く際、靴下１の上端を持ちながら、足先を、靴下１の上端ではなく、上端よりも下方の位置（例えば、足首に相当する位置の周辺）から挿入することが可能となる。この場合、従来のように靴下の上端を持ちながら足先を靴下の上端から挿入する場合と比べて、靴下１の上端を持つ指先と足先との間の距離を持たせ、靴下１の上端を持つ手の位置が足先よりも手前にある状態で靴下１に足先を挿入することが可能となるため、腰や脚を大きく屈曲させることなく、足先を靴下１に挿入する（靴下を履く）ことが可能となる。そのため、上述した実施形態によれば、腰痛や、膝痛、脚の外傷、障害等を有する人や高齢者等にとっても履きやすさが向上した靴下を提供することが可能となる。
【００２９】
また、開口部５を有することで、足先を挿入する位置を開閉部４よりも更に下方にすることが可能となり、腰や脚を屈曲させる度合い（量）を更に少なくすることが可能となり、履きやすさを向上させることが可能となる。また、開口部５が、くるぶしを露出させる開口５１を有することで、靴下１を履く際に、くるぶしが靴下１の中で引っ掛かり履きにくくなることを防止することが可能となる。
【００３０】
なお、開閉部４は、ボディ部２の上端から下方の位置までを開閉可能であれば、図１に示された例に限定されるものではなく、例えば、面ファスナーや点ファスナー等であってもよい。また、開閉部４（線ファスナー）の構造は、図１及び図２で示した例に限定されるものではなく、任意の構造が用いられてよい。そのため、開閉部４は、例えば、図１及び図２で示した開閉部４の構造が上下反転した構造を有してよい。つまり、開具４４及び箱４５が、開閉部４（ボディ部２）の上端に位置し、上止４３が、開閉部４の下端に位置し、スライダー４１が開閉部４の上端に位置する箱４５（箱棒４４）により止められた状態において、開閉部４が完全に開けられた状態であり、スライダー４１が開閉部４の下端に位置する上止４３により止められた状態において、開閉部４が完全に閉じられた状態となる構造であってよい。
【００３１】
また、靴下１は、上述した、ボディ部２、フット部３、開閉部４及び開口部５に加え、ずり落ち防止部６及び持ち手７の少なくとも一方を更に備えてもよい。ずり落ち防止部６は、装着者が靴下１を履く際又は装着した際に、靴下１が脚からずり落ちることを防止するための部位である。ずり落ち防止部６が設けられる位置は任意であるが、例えば、ずり落ち防止部６を、開口部５（開口５１）の下方において、靴下１の全周にわたり設けることで、足を出し入れする履き口（開口５１の下端）における靴下１のずり落ちを防止するようにしてもよい。
【００３２】
図３は、本実施形態に係る靴下の一例を示す平面図である。図３では、ボディ部２、フット部３、開閉部４、開口部５、ずり落ち防止部６及び持ち手７を備える靴下１を例示する。図３に示すように、ずり落ち防止部６は、くるぶしに位置する開口部５（開口５１）の下方において、靴下１の全周にわたり設けられており、且つ、開口５１（補強部５２）の下端に隣接するよう設けられている。これより、足をフット部３に挿入した後に、くるぶし周辺において、靴下１を脚に固定（密着）させることが出来るため、靴下１がずり落ちることなく開閉部４を閉めることが可能となり、開閉部４の開閉動作が容易になることから、靴下の履きやすさを更に向上させることが可能となる。また、靴下１を装着した後も、靴下１が脚からずり落ちることを防止することが可能となる。
【００３３】
なお、図３の例では、ゴム糸等を環状に編み込むことで、靴下１を脚に密着させるための締め付け力を有するずり落ち防止部６を例示しているが、ずり落ち防止部６の素材や構造は任意であり、例えば、靴下１の編地に固着（接着）されたシリコーンゴム等であってもよい。また、ずり落ち防止部６は、図３で例示した位置以外にも、例えば、開閉部４の下端や、足首に相当する位置等に設けられてよく、これらの位置に設けられた場合であっても、上述と同様の理由により、開閉部４の開閉動作が容易になる。
【００３４】
持ち手７は、ボディ部２の上端に位置する、装着者が靴下１に足先を挿入する際に靴下１を持つための部位である。持ち手７は、装着者が手で持ったり指を引っ掛けたりすることが可能な構造であれば、任意の構造を有してよい。また、持ち手７には、靴下１と同様の編地が用いられてもよいし、その他にも、綿、革、ポリエステル等、任意の素材が用いられてよい。装着者は、ボディ部２の上端に位置する持ち手７を持ちながら、足先を靴下１に挿入することで、ボディ部２の上端を持ちながら足先を挿入する場合と比べて、足先の挿入位置と靴下１を持つ手の位置との間の距離をより離すことが可能となるため、腰や脚を屈曲させる度合いをより少なくして、足先を靴下１に挿入する（靴下を履く）ことが可能となる。
【符号の説明】
【００３５】
１  靴下
２  ボディ部
３  フット部
４  開閉部
４１  スライダー
４２  エレメント
４３  上止
４４  開具
４５  箱
５  開口部
５１  開口
５２  補強部
６  ずり落ち防止部
７  持ち手
【要約】
【課題】履きやすさが向上した靴下を提供することを課題とする。
【解決手段】
靴下に、装着者に装着された状態において筒状であり、かかとから上の部位を覆うボディ部と、かかとから下の部位を覆うフット部と、前記ボディ部の上端から、該上端の下方にある所定の位置までの範囲を開閉可能とする開閉手段であって、前記ボディ部の上端から前記所定の位置までの範囲が開けられた状態において前記装着者の足先を前記上端よりも下方の位置から前記フット部へ挿入可能とし、前記ボディ部の上端から前記所定の位置までの範囲が閉じられた状態において前記ボディ部を筒状とする開閉手段と、を備えた。
【選択図】図１【図１】
0006966138.tif 000002
【図２】
0006966138.tif 000003
【図３】
0006966138.tif 000004